(57)【要約】      （修正有）【課題】板材上のフィルムの剥離除去に用いられるフィルム剥離機構を提供する。【解決手段】フィルム剥離機構は、支持手段３００と、フィルム剥離手段５００とを備えている。支持手段３００は、板材２００を支持可能に、板材２００におけるフィルムとは対向する側にそれぞれ配設されている。フィルム剥離手段５００は主動型巻取りローラ５１０と、従動型加熱ローラ５３０とを備えている。主動型巻取りローラ５１０は、板材２００に沿って移動可能であるとともに、主動回転するように、板材２００におけるフィルムと同じ側に配設されている。従動型加熱ローラ５３０は、板材２００に沿って移動可能であるとともに、フィルムに接触回転する。【選択図】図４ａ
2009091154.tif 000002
【特許請求の範囲】
【請求項１】
板材上のフィルムの剥離除去に用いられるフィルム剥離機構であって、
前記板材を支持可能に、前記板材における前記フィルムとは対向する側にそれぞれ配設されている支持手段と、
前記板材に沿って移動可能であるとともに、主動回転するように、前記板材における前記フィルムと同じ側に配設されている主動型巻取りローラと、前記板材に沿って移動可能であるとともに、前記フィルムに接触回転するように、前記板材における前記フィルムと同じ側に配設されている従動型加熱ローラとを有する剥離手段と、
を備えたフィルム剥離機構において、
前記フィルムは前記主動型巻取りローラにより巻き取られるものであり、前記主動型巻取りローラが前記フィルムを巻き取るとき、前記フィルムはまず前記板材上において前記従動型加熱ローラに当接した後、前記板材上から剥離除去されるとともに、前記主動型巻取りローラ上に巻き取られる、ことを特徴とするフィルム剥離機構。
【請求項２】
前記剥離手段が、前記フィルムと接触回転可能に、前記板材における前記フィルムと同じ側に配設されている従動型ローラを更に備えた、ことを特徴とする請求項１に記載のフィルム剥離機構。
【請求項３】
前記支持手段が、前記板材に当接するように前記支持手段の上面に配設されている移動補助手段を更に備えた、ことを特徴とする請求項１に記載のフィルム剥離機構。
【請求項４】
前記主動型巻取りローラが、前記フィルムの一端を前記主動型巻取りローラに固定するための固定手段を更に備えた、ことを特徴とする請求項１に記載のフィルム剥離機構。
【請求項５】
板材上のフィルムの剥離除去に用いられるフィルム剥離方法であって、
前記板材を支持手段上に載置する工程と、
従動型加熱ローラと前記板材上の前記フィルムとがローリング接触するように加熱する工程と、
前記板材上の前記フィルムの一角を剥がすとともに主動型巻取りローラに固定する工程と、
前記主動型巻取りローラを回転させて、前記フィルム剥離手段を前記板材に沿って移動させて、前記板材上の前記フィルムを剥離除去する工程と、を含む、ことを特徴とするフィルム剥離方法。
【請求項６】
前記支持手段が、前記板材を支持可能に、前記板材における前記フィルムとは対向する側にそれぞれ配設されている、ことを特徴とする請求項5に記載にフィルム剥離方法。
【請求項７】
前記主動型巻取りローラが、前記板材に沿って移動可能であるとともに、主動回転するように、前記板材における前記フィルムと同じ側に配設されている、ことを特徴とする請求項5に記載のフィルム剥離方法。
【請求項８】
前記従動型加熱ローラが、前記板材に沿って移動可能であるとともに、前記フィルムに接触回転するように、前記板材における前記フィルムと同じ側に配設されている、ことを特徴とする請求項5に記載のフィルム剥離方法。
【発明の詳細な説明】
【技術分野】
【０００１】
本発明はフィルム剥離機構および方法に関し、具体的には、本発明は板材上のフィルムを剥離除去するためのフィルム剥離機構および方法に関する。
【背景技術】
【０００２】
コンピュータ、テレビ受像機および携帯電話機などの各種電子製品では、液晶ディスプレイ（Ｌｉｑｕｉｄ
Ｃｒｙｓｔａｌ Ｄｉｓｐｌａｙ，ＬＣＤ）が広く応用されている。このうち、液晶ディスプレイパネルには、拡散フィルム（Ｄｉｆｆｕｓｅｒ）、輝度向上フィルム（Ｂｒｉｇｈｔｎｅｓｓ
Ｅｎｈａｎｃｉｎｇ Ｆｉｌｍ）および偏光フィルム（Ｐｏｌａｒｉｚｉｎｇ Ｆｉｌｍ）などを含むフィルムが貼付けられている。
【０００３】
一般的には、フィルムは粘着剤でパネルに貼付けられている。公知のフィルム剥離除去方法では、手作業でフィルムの一角を剥がした後、この一角を力点として、フィルム全体をパネルから徐々に剥がしていた。この方法では作業者の疲労によって力が不均一になることで剥離除去効率に影響がでるだけでなく、また、強制的に力を加えることから、粘着剤が残ってしまい、後続の工程作業に不具合をもたらすことになってしまう。
【０００４】
図１に示す従来技術のように、また多くの他のフィルム剥離方法では、同様に手作業でパネル２０上のフィルム４０の一角を剥がした後、粘着テープなどの方法を用いてこの一角と回転軸５１とを固定して、次ぎに回転軸５１を回転させて、フィルム４０をパネル２０から剥離するとともに回転軸５１上に巻き取っている。この方法は回転軸の回転速度により剥離効率を制御するものであるが、同様に強制的に力を加えることからパネルを損傷しやすい上、同様に粘着剤が残るという問題がある。上記した剥離方式では改善の余地があった。
【発明の開示】
【発明が解決しようとする課題】
【０００５】
本発明の主な目的は、板材上のフィルムの剥離除去に用いられるフィルム剥離機構を提供するところにある。
【０００６】
本発明の主な目的は、板材上のフィルムを剥離除去するときにおける板材の損傷を減らすことができるフィルム剥離機構を提供するところにある。
【０００７】
本発明の主な目的は、板材上のフィルムの剥離除去に用いられるフィルム剥離方法を提供するところにある。
【０００８】
本発明の主な目的は、板材上のフィルムを剥離除去するときにおける板材の損傷を減らすことができるフィルム剥離方法を提供するところにある。
【課題を解決するための手段】
【０００９】
本発明のフィルム剥離機構は、支持手段と、フィルム剥離手段とを備えている。支持手段は、板材を支持可能に、板材におけるフィルムとは対向する側にそれぞれ配設されている。フィルム剥離手段は主動型巻取りローラと、従動型加熱ローラとを備えている。主動型巻取りローラは、板材に沿って移動可能であるとともに、主動回転するように、板材におけるフィルムと同じ側に配設されている。従動型加熱ローラは、板材に沿って移動可能であるとともに、フィルムに接触回転するように、板材におけるフィルムと同じ側に配設されている。
【００１０】
フィルムは主動型巻取りローラにより巻き取られるものである。主動型巻取りローラがフィルムを巻き取るとき、フィルムはまず板材上において従動型加熱ローラに当接した後、板材上から剥離除去されるとともに、主動型巻取りローラ上に巻き取られる。
【００１１】
剥離手段は、フィルムと接触回転可能に、板材におけるフィルムと同じ側に配設されている従動型ローラを更に備えている。支持手段は、移動補助手段を更に備えている。移動補助手段は、板材に当接するように支持手段の上面に配設されている。主動型巻取りローラは、フィルムの一端を主動型巻取りローラに固定するための固定手段を更に備えている。固定手段は粘着テープ、クランプまたはニードルなどを備えている。
【００１２】
フィルム剥離方法は、板材を支持手段上に載置する工程と、フィルム剥離手段の従動型加熱ローラと板材上のフィルムとがローリング接触するように加熱する工程と、フィルムの一角を剥がすとともにフィルム剥離手段の主動型巻取りローラに固定する工程と、主動型巻取りローラを回転させて、フィルム剥離手段を板材に沿って移動させて、フィルムを剥離除去する工程と、を含んでいる。
【発明を実施するための最良の形態】
【００１３】
本発明は板材上のフィルムの剥離除去に用いられるフィルム剥離機構を提供する。好ましい実施例をもって説明すると、板材は液晶ディスプレイ（Ｌｉｑｕｉｄ
Ｃｒｙｓｔａｌ Ｄｉｓｐｌａｙ，ＬＣＤ）のガラスパネルであって、フィルムはガラスパネル上の高分子光学フィルムである。しかしながら異なる実施例においては、板材は合成樹脂、金属、合金などの異なる材質としてもよく、そしてフィルムもまたその他粘着接合の方式で板材に貼付けられている異なる材質および機能を持つフィルムであってもよい。
【００１４】
図２ａおよび図２ｂに示す実施例では、本発明におけるフィルム剥離機構１００は、支持手段３００と、フィルム剥離手段５００とを備えている。支持手段３００は、板材２００を支持可能に、板材２００におけるフィルム４００とは対向する側にそれぞれ配設されている。具体的に言えば、この実施例において、板材２００に貼付けられているフィルム４００は上面を向いており、そして支持手段３００は下方から板材２００を支承している。この実施例において、支持手段３００は載置面３０１を有する台座であり、板材２００は載置面３０１上に載置されている。しかしながら、図３ａおよび図３ｂに示す異なる実施例では、支持手段３００は三組の支柱体となっている。三点によって平面を構成できることから、この実施例では支持手段３００としての三組の支柱体が載置面３０１を構成して、板材２００を載置面３０１上で支承できるようになっている。言い換えれば、支持手段３００は、平面の支持効果を備えるとともにとともに、３個以上のその他構造とすることができるということである。
【００１５】
図４ａに示す好ましい実施例では、支持手段３００は、板材２００に当接するように支持手段３００の上面に配設されている移動補助手段３１０を更に備えることができる。この実施例における移動補助手段３１０は鋼球である。鋼球の中心は支持手段３００内に配置されている。鋼球の一部が支持手段３００から露出して、しかも支持手段３００と板材２００の底部平面との間に位置している。板材２００が移動すると、鋼球は板材２００の底部平面で転動することで、支持手段３００と板材２００の底部平面との摩擦力を低減している。異なる実施例においては、移動補助手段３１０はコロ、ローラまたは搬送ベルトなどの摩擦力を低減させる効果を持つ部材としてもよい。
【００１６】
図４ａに示す好ましい実施例では、フィルム剥離手段５００は、主動型巻取りローラ５１０と、従動型加熱ローラ５３０とを備えている。主動型巻取りローラ５１０は、板材２００に沿って移動可能であるとともに、主動回転するように、板材におけるフィルム４００と同じ側に配設されている。好ましい実施例において、主動型巻取りローラ５１０の回転する円周速度は０.５から３ｍ／ｍｉｎの間である。しかしながら異なる実施例においては、主動型巻取りローラ５１０の回転する円周速度は必要に応じて調整することができる。従動型加熱ローラ５３０は、板材２００の上面に沿って移動可能であるとともに、フィルム４００に接触回転するように、板材２００におけるフィルム４００と同じ側に配設されている。好ましい実施例において、従動型加熱ローラ５３０の温度は５０から６０℃の間である。しかしながら異なる実施例においては、従動型加熱ローラ５３０の温度は必要に応じて調整することができる。
【００１７】
フィルム４００は主動型巻取りローラ５１０により巻き取られる。主動型巻取りローラ５１０がフィルム４００を巻き取るとき、フィルム４００がまず板材２００上で従動型加熱ローラ５３０に当接した後、板材２００上から剥離除去されるとともに、主動型巻取りローラ５１０上に巻き取られる。主動型巻取りローラ５１０は、巻き取りしやすくするために、フィルム４００の一端を主動型巻取りローラに固定するための固定手段５２０を更に備えている。固定手段は粘着テープ、クランプまたはニードルなどを備えており、この実施例において、固定手段は粘着テープである。
【００１８】
本発明のフィルム剥離機構１００の作動方式をより詳しく説明する。図４ｂおよび図４ｃに示す実施例では、板材２００から剥がされたフィルム４００の一端は固定手段５２０により主動型巻取りローラ５１０上に固定されており、フィルム４００はまず板材２００上にて従動型加熱ローラ５３０に当接して加熱される。通常、フィルム４００を板材２００に貼り合わせている粘着剤は熱により粘着力が低下することから、加熱することでフィルム４００と板材２００との粘着力を低下させることができる。これにより、主動型巻取りローラ５１０がｒ１方向に回転したとき、フィルム４００は板材２００の表面から容易に剥がれて、そして主動型巻取りローラ５１０に巻き取られることで、フィルム剥離の効率を更に向上させている。
【００１９】
主動型巻取りローラ５１０がｒ１方向に回転してフィルム４００を巻き取ると同時に、フィルム剥離手段５００は方向８２０に向けて移動して、フィルム剥離手段５００の主動型巻取りローラ５１０、従動型加熱ローラ５３０および従動ローラ５５０が追従するように方向８２０に向けて移動する。このとき、従動型加熱ローラ５３０は主動型巻取りローラ５１０に対応してｒ２方向に回転し、そして板材２００は元の位置に維持される。このうち、フィルム剥離手段５００に移動速度は、スムースな巻き取りを維持するように、主動型巻取りローラ５１０の巻取り回転速度に対応するのが望ましい。もしフィルム剥離手段５００の移動速度が主動型巻取りローラ５１０の巻取り回転速度と完全に対応していない場合には、前記移動補助手段３１０を設けて、支持手段３００と板材２００の底部平面との摩擦力を低減することで、フィルム剥離時に前記板材２００が支持手段３００上で移動して、スムースな巻き取りを維持できるようにする。
【００２０】
図４ｂおよび図４ｃに示す実施例では、フィルム剥離手段５００は従動ローラ５５０を更に備えている。従動ローラ５５０はフィルム４００に接触回転するように板材２００におけるフィルム４００と同じ側に配設されている。具体的に言えば、板材２００は従動ローラ５５０と支持手段３００との間で移動する。これにより、フィルム剥離時に生じる板材２００の上下方向の位置ずれを減らして、フィルム剥離工程の更なる安定化を図る。この実施例において、従動ローラ５５０は従動型加熱ローラ５３０の前後両側に対となって配設されている。しかしながら異なる実施例においては、従動ローラ５５０の設置数および位置は必要に応じて異なっても良い。
【００２１】
異なる実施例においては、フィルム剥離機構１００は、板材２００が移動するが、フィルム剥離手段５００は移動しない方式で作動させてもよい。図４ｂおよび図４ｄに示す実施例では、板材２００から剥がされたフィルム４００の一端は固定手段５２０により主動型巻取りローラ５１０上に固定される。フィルム４００はまず板材２００上にて従動型加熱ローラ５３０に当接する。主動型巻取りローラ５１０がｒ１方向に回転してフィルム４００を巻き取ると同時に、主動型巻取りローラ５１０は巻き取られたフィルム４００が連動するように板材２００を方向８１０に向けて移動させ、そして従動型加熱ローラ５３０は主動型巻取りローラ５１０に対応してｒ２方向に回転する。フィルム４００は剥離除去されて巻き取られるときに板材２００と相対移動するので、フィルム４００の剥離除去時における板材の損傷を減らすことができる。また、前記移動補助手段３１０を設けて、支持手段３００と板材２００の底部平面との摩擦力を低減することで、フィルム剥離時における移動がよりスムースとなる。
【００２２】
図４ｃに示す立体図および図４ｅに示す平面図の実施例では、板材２００の縁２０２はフィルム剥離手段５００の移動方向８２０と平行しており、板材２００から剥がされたフィルム４００の一端は主動型巻取りローラ５１０上に固定される。しかし、図４ｆに示す平面図の好ましい実施例では、板材２００はフィルム剥離手段５００が移動する方向８２０と挟み角θを有している。この場合、板材２００から剥がされたフィルム４００の一端は主動型巻取りローラ５１０上に固定される。
【００２３】
図５に示す本発明における表示装置の組立方法のフローチャートでは、本発明における表示装置の組立方法は次の工程を含んでいる。
【００２４】
工程１００１では、図４ｃに示すように、板材２００を支持手段３００上に載置する。
【００２５】
工程１００３では、図４ｃに示すように、フィルム剥離手段５００の従動型加熱ローラ５３０と板材上２００のフィルム４００とがローリング接触するように加熱する。
【００２６】
工程１００５では、板材２００上のフィルム４００の一角を剥がすとともにフィルム剥離手段５００の主動型巻取りローラ５１０に固定する。図４ｃに示す実施例では、固定手段５２０として粘着テープを用いて、フィルム４００の剥がされた一角を主動型巻取りローラ５１０に固定する。しかしながら異なる実施例においては、固定手段５２０としてクランプ、ニードルなどを使用するか、またはフィルム４００の剥がされた一角を直接粘着させる方式で主動型巻取りローラ５１０に固定することができる。
【００２７】
工程１００７では、図４ｃに示すように、主動型巻取りローラ５１０を回転させて、フィルム剥離手段５００を板材２００に沿って移動させて、板材２００上のフィルム４００を剥離除去する。
【００２８】
本発明では上記関連する実施例により説明したが、上記実施例は単に本発明を実施する範例に過ぎない。明記しておくべきは、すでに開示した実施例は本発明の範囲を限定するものではないということである。反対に、特許請求の範囲に含まれる技術的思想および範囲の修正および均等な配置はいずれも本発明の範囲内に含まれるものである。
【図面の簡単な説明】
【００２９】
【図１】従来技術の概略図である。
【図２ａ】本発明における実施例の側面概略図である。
【図２ｂ】本発明における実施例の立体概略図である。
【図３ａ】本発明における他の実施例の側面概略図である。
【図３ｂ】本発明における他の実施例の立体概略図である。
【図４ａ】本発明における移動補助手段を備えた実施例の側面概略図である。
【図４ｂ】本発明における移動補助手段を備えた実施例の立体概略図である。
【図４ｃ】本発明における実施例の作動概略図である。
【図４ｄ】本発明における他の実施例の作動概略図である。
【図４ｅ】本発明における実施例の平面概略図である。
【図４ｆ】本発明における好ましい実施例の平面概略図である。
【図５】本発明の方法の工程フローチャートである。
【符号の説明】
【００３０】
２０      公知のパネル
４０      公知のフィルム
５１      公知の回転軸
１００    フィルム剥離機構
２００    板材
３００    支持手段
３０１    載置面
３１０    移動補助手段
４００    フィルム
５００    フィルム剥離手段
５１０    主動型巻取りローラ
５２０    固定手段
５３０    従動型加熱ローラ
５５０    従動ローラ
【図１】
2009091154.tif 000003
【図２ａ】
2009091154.tif 000004
【図２ｂ】
2009091154.tif 000005
【図３ａ】
2009091154.tif 000006
【図３ｂ】
2009091154.tif 000007
【図４ａ】
2009091154.tif 000008
【図４ｂ】
2009091154.tif 000009
【図４ｃ】
2009091154.tif 000010
【図４ｄ】
2009091154.tif 000011
【図４ｅ】
2009091154.tif 000012
【図４ｆ】
2009091154.tif 000013
【図５】
2009091154.tif 000014